(57)【要約】【課題】  照明対象物を効果的に照明することのできる照明器具を提供すること。【解決手段】  本願発明の照明器具は、ケースに装備されたＬＥＤからの光がケースの照射口から照射される照明具において、ケースは細長であり、ケースの一部に他の部材へ取付けできる取付け部があり、照射口はケースの長手方向に細長であってケースの取付け部に対して斜め上向き又は斜め下向きに開口され、ケース内にＬＥＤが照射口に向けて取付けられたものである。ケース内にＬＥＤ装備部を設けた。ケースの取付け部を他部材に取付けたときに、外部から見える箇所に表示部を設けた。ケースの長手方向側面を開口し、ＬＥＤモジュールやＬＥＤチップ等を取付けた基板をＬＥＤ装備部に出し入れ自在とした。他のケースのＬＥＤチップやＬＥＤモジュール又は他のケースと電気的に接続可能な電気接続具を設けた。【選択図】図３
2010051404.tif 000002
【特許請求の範囲】
【請求項１】
ケースに装備されたＬＥＤからの光がケースの照射口から照射される照明具において、ケースは細長であり、ケースの一部に他の部材へ取付けできる取付け部があり、照射口はケースの長手方向に細長であってケースの取付け部に対して斜め上向き又は斜め下向きに開口され、ケース内にＬＥＤが前記照射口に向けて取付けられたことを特徴とする照明器具。
【請求項２】
請求項１記載の照明器具において、ケース内にＬＥＤ装備部があることを特徴とする照明器具。
【請求項３】
請求項１又は請求項２記載の照明器具において、ケースに表示部があり、表示部はケースの取付け部を他部材に取付けたときに、外部から見える箇所に設けられたことを特徴とする照明器具。
【請求項４】
請求項１乃至請求項３のいずれかに記載の照明器具において、ケースの長手方向側面が開口され、ＬＥＤチップが取付けられた基板、又はＬＥＤモジュールが取付けられた基板、又はＬＥＤモジュールが、前記側面開口部からケ−ス内のＬＥＤ装備部に出し入れ自在であることを特徴とする照明器具。
【請求項５】
請求項１乃至請求項４のいずれかに記載の照明器具において、他のケースのＬＥＤモジュール又はＬＥＤチップと電気的に接続可能な電気接続具を備えたことを特徴とする照明器具。
【請求項６】
請求項１乃至請求項５のいずれかに記載の照明器具において、ケースに、他のケースと連結可能な連結具を備えたことを特徴とする照明器具。
【発明の詳細な説明】
【技術分野】
【０００１】
本願発明は商品陳列棚、室内の壁面等に取付けて使用することのできるＬＥＤ式の照明器具に関するものである。
【背景技術】
【０００２】
従来から商品陳列棚に照明器具を取付けて食品、化粧品、雑貨等の商品の見栄えをよくすることや、室内の壁面に照明器具を取付けて足元を照らすことなどが広く一般的に行われている。
【０００３】
前記照明器具として、従来は、例えば、一面が開口された箱型のケース内に蛍光灯を収容したものや、商品陳列棚の棚板手前側に取付けた蛍光灯の光で棚板の上の商品を照明して商品のディスプレイ効果を高めて購買者の目に付き易くし、需要者の購買意欲を高めるようにしたもの（特許文献１）等がある。
【０００４】
【特許文献１】特開２００６−３４６２３８号公報
【発明の開示】
【発明が解決しようとする課題】
【０００５】
従来の技術には以下のような課題があった。
（１）蛍光灯を使用する照明器具は小型化し難いので、商品陳列棚に取付けると商品の出し入れの邪魔になり、場合によっては出し入れする商品や手が蛍光灯に接触して蛍光灯が外れるとか手を怪我するとか、蛍光灯の熱で火傷するといった危険もあった。
（２）壁面に取付けると室内への突出寸法が大きくなり蛍光灯が目立ち過ぎて体裁が悪かった。
（３）室内の足元を明るくするために壁面下部に照明器具を取付けた場合、蛍光灯に足が当たって蛍光灯が外れるとか割れるという問題があった。
（４）蛍光灯は消費電力が多いため不経済であり、省エネ、環境問題等の面で難点があった。
（５）蛍光灯は発熱するため、陳列棚の上の菓子や他の食品等を照明すると商品の品質劣化をきたす虞があった。
（６）蛍光灯は紫外線を照射するため、紫外線で劣化し易い商品は陳列できないとか、陳列する場合であっても、紫外線を避けるための包装をしなければならないという面倒があった。
【０００６】
本願発明の課題は、商品陳列棚の照明灯や室内灯として使用した場合に、少なくとも前記難点がなく、それら以外の用途にも使用できる照明器具を提供することにある。
【課題を解決するための手段】
【０００７】
本願発明の照明器具は、請求項１記載のように、ケースに装備されたＬＥＤからの光がケースの照射口から照射される照明具において、ケースは細長であり、ケースの一部に他の部材へ取付けできる取付け部があり、照射口はケースの長手方向に細長であってケースの取付け部に対して斜め上向き又は斜め下向きに開口され、ケース内にＬＥＤが前記照射口に向けて取付けられたものである。請求項２記載の照明器具はケース内にＬＥＤ装備部を備えたものである。請求項３記載の照明器具はケースに表示部があり、表示部はケースの取付け部を他部材に取付けたときに、外部から見える箇所に設けられたものである。請求項４記載の照明器具はケースの長手方向側面が開口され、ケースの長手方向側面が開口され、ＬＥＤチップが取付けられた基板、又はＬＥＤモジュールが取付けられた基板、又はＬＥＤモジュールが、前記側面開口部からケ−ス内のＬＥＤ装備部に出し入れ自在としたものである。請求項５記載の照明器具は他のケースのＬＥＤモジュール又はＬＥＤチップと電気的に接続可能な電気接続具を備えたものである。請求項６記載の照明器具はケースに他のケースと連結可能な連結具を設けたものである。
【発明の効果】
【０００８】
本願発明の照明器具には次のような効果がある。
（１）ケースが細長で、光源にＬＥＤを使用するので照明器具が細長に小型化され、小型の陳列棚や狭いスペースにも取付け可能であり、体裁が良く、照明器具が商品の出し入れの邪魔になりないくい。
（２）光源に発熱量が少ないＬＥＤが使用されているため、食品や化粧品等の商品の品質劣化への影響が少ない。
（３）照射口がケースの取付け部に対して斜め上向き又は斜め下向きに開口され、ケース内にＬＥＤが前記照射口に向けて取付けられたので、ＬＥＤから照射される光は照射口から斜め上方又は下方に出射し、人が照明器具の前に立ってもＬＥＤからの光が目に直接入射せず、まぶしくなることが無く、しかも、陳列棚の上の商品は確実に照明される。壁面に取付けた場合は、床面を効率よく照明できる。
（４）照射口がケースの長手方向に細長に開口されているので、ケースの長手方向に配置されたＬＥＤからの光が開口部から出射される。
（５）ケースの一部に他部材への取付け部を設けたので、陳列棚や壁面等の他部材への取付けが容易になる。
（６）ケースの一部に表示部を設けたので、表示部を陳列棚の手前に向けて陳列棚に取付け、その表示部に価格、品名等を表示すれば、それらが陳列棚の手前から見易くなる。
（７）ケースの長手方向側面が開口されているので、ＬＥＤが取付けられた基板、又はＬＥＤモジュールが取付けられた基板、又はＬＥＤモジュールを前記側面開口部からケ−ス内のＬＥＤ装備部に出し入れすることができ、ＬＥＤの交換等に便利である。
（８）他のケースと電気的に接続可能な電気接続具を設けたので、二以上の電気器具を配列する場合に、それら電気器具間の配線が容易且つシンプルになる。
（９）ケースに他のケースと連結可能な連結具を設けたので、二以上の電気器具を配列する場合に、それらケース同士の連結が容易になる。
（１０）蛍光灯の場合は紫外線を照射するため、紫外線で品質劣化し易い商品、例えば、日本酒などは陳列棚に陳列できないとか、陳列する場合には紫外線を避けるための包装をしなければならないという面倒があったが、本願発明では紫外線を照射しないＬＥＤを使用するため、前記のような面倒や問題も生じない。
【発明を実施するための最良の形態】
【０００９】
（実施形態１）
本願発明の照明器具の実施形態の一例を図面に基づいて説明する。この実施形態の照明器具は図１（ａ）（ｂ）に示すように商品陳列棚Ａの棚板Ｂの下面に取付けたり、図２（ａ）（ｂ）に示すように商品陳列棚Ａの棚板Ｂの上面に取付けたりして使用するのに適するものであり、細長のケース１（図３（ａ））と、ケース１の内部に取付けられたＬＥＤモジュール２を取付けた基板３を装備可能なＬＥＤ装備部４（図４）と、ケース１に取付けたカバー５（図３（ａ）、図４）と、ＬＥＤチップ６に電源供給する電源コードＣを備えるものである。
【００１０】
前記ケース１は図４のように、二つの側壁７、８が直角に連続する角型であり、その長手方向両側面９、１０が開口しており、両側壁７、８間に照射口１１が開口され、両側壁７、８のうち一方の側壁７は商品陳列棚Ａの棚板Ｂに取付ける取付け部７ａ、他方の側壁８の外面は商品名や価格等を表示可能な表示部８ａとしてある。図３（ａ）〜（ｃ）に示すようにケース１の両側面９、１０には蓋１２をネジ止めすることができる。この場合、ケース１内の側面９、１０側にネジ穴１３を設けておく。蓋１２は他の機構でケース１に取付けることもできる。蓋１２には電源コードＣ又は／及びリード線Ｌを挿通するための導入孔１７が設けられている。蓋１２はアルミ製の薄板であるがプラスチック製、金属製、ゴム製など他の材質製とすることもできる。
【００１１】
両側壁７、８には保持片１４（図４）が突設され、両保持片１４の先端側に開口溝が形成され、この開口溝をＬＥＤ装備部４（図４）としてある。ＬＥＤ装備部４はケース１の長手方向全長に形成されて両端がケース１の両側面に開口しており（以下、この両側面を「側面開口部」という。）、その側面開口部からＬＥＤモジュール２を取付けた基板３を出し入れ自在としてあり、差込まれた基板３のＬＥＤチップ６の照射面がケース１の照射口１１を向くようにしてある。この場合、図４に示すように基板３の背面とケース１の両側壁７、８の内面間に空間１５（図３（ｂ）、図４）が形成される。この空間１５はケース１の長手方向両側面に開口しており、その内部に電源コードＣ、リード線Ｌといった各種線を配線でき、また、取付け部７ａを陳列棚や壁などに取付けたビスの頭などが収容されるようにしてある。
【００１２】
前記基板３はアルミ製のものが軽量化の面から適するが、金属製、ステンレス製、樹脂製など他の材質製とすることもできる。図３（ａ）の照明器具はアルミ製の細長い基板３の取付け面にＬＥＤモジュール２が二枚並べて取付けられ、直列に電気接続されているが、ＬＥＤモジュール２は長さ、ＬＥＤチップ６の数等の異なるものを一枚或いは三枚以上取付けることもできる。ＬＥＤ装備部４に取付け可能なサイズのＬＥＤモジュール２を用意して、直接ＬＥＤ装備部４に取付けることもできる。二以上のＬＥＤモジュール２は電気的に直列接続することも並列接続することもできる。ＬＥＤはＬＥＤモジュール２ではなく絶縁材製基板に多数のＬＥＤチップ６を直接取付けたものであってもよい。
【００１３】
図３（ａ）、（ｃ）に示すように、ＬＥＤモジュール２又はＬＥＤチップ６の端部に設けられた電源端子１６には、ＬＥＤチップ６に電源供給するための電源コードＣが接続されている。電源コードＣはケース１の外から、ケース１の側面に取付けられた蓋１２の導入孔１７と基板３の長手方向端部に開口された引込み口１８を通してケース１内に導入されている。
【００１４】
本願発明では、必要であれば、図３（ａ）、（ｂ）に示すようにＬＥＤモジュール２又はＬＥＤチップ６の終端側の電源端子１６からリード線Ｌを引き出しておくこともできる。リード線Ｌを引き出しておくことにより、本願発明の照明器具を図５、図６のように長手方向に２以上並べて配置した場合に、それら照明器具のＬＥＤモジュール２間をリード線Ｌで接続して電源供給することができる。リード線Ｌの代わりに他の電源接続具を使用することもでき、例えば、一方のケース１に雄コネクタを、他方のケース１に雌コネクタを取付けておくことができる。
【００１５】
前記側壁７、８の先端部にはカバー係止溝１９、２０（図４）が、ケース１の長手方向に沿って形成されている。カバー係止溝１９、２０には前記照射口１１を覆うことのできるカバー５をスライド自在に取付けてある。カバー５は透光性を有するプラスチック製の細長薄板であるが透光性を確保することができれば他の材質製とすることもできる。
【００１６】
ケース１の側壁８の上部と下部には、ケース１の長手方向に沿ってプレート挿入溝２１（図４）が設けられている。両プレート挿入溝２１はケース１の長手方向両端に開口して、その開口部からプレート２２（図４）を抜き差しできるようにしてある。プレート２２はアルミ製、金属製、プラスチック製、紙製といった任意の材質製とすることができる。プレート２２がプラスチックなどの透明な材質製の場合は、プレート２２の内側に商品のブランド、メーカー名、価格、セールスポイント、キャッチフレーズ、装飾図案等々を表示した紙を入れ、その上からプレート２２を差込むことができる。この場合は紙を差し替えるだけで表示を変更することができる。商品のブランド、メーカー名、価格、セールスポイント、キャッチフレーズ、装飾図案等々はプレート２２に直に表示することもできる。
【００１７】
図示しないが、ケース１の長手方向側面にはケース同士を連結脱着可能な連結具を取付けておくこともできる。この場合はその連結具を使用して、図５のように横に並べて配置した照明器具同士を連結することができる。
【００１８】
（実施形態２）
本願発明の照明器具は、ＬＥＤを取付けた基板３の前面を樹脂で被覆するなどしてＬＥＤを防水加工することができる。シリコーンゴムはＬＥＤの表面全体が埋まる程度まで充填する。樹脂としては、例えば、無色透明なシリコーンゴムを使用することができる。より具体的には、室温又は加熱により硬化する２液タイプ付加反応硬化型液状シリコーンゴムであるＥＬＡＳＴＯＳＩＬ（登録商標）ＲＴ６０１を使用することができる。防水加工にはＬＥＤからの光を遮らないものであれば、他の樹脂を使用することもできる。防水し加工した照明器具は、室内の水回り付近とか、外部に設置する商品棚等に取付けて使用するのに適する。
【００１９】
（使用例１）
本願発明の照明器具の第１の使用例を図１、図５に基づいて説明する。この使用例は、商品陳列棚Ａの棚板Ｂの下面の奥に本願発明の照明器具を取付けた場合の例である。ケース１の取付け部７ａを各棚板Ｂの下面に配置してネジ、ビス、両面テープ、接着剤などにより棚板Ｂの裏面に固定する。このとき使用されるネジ、ビス等の頭はケース１の空間１５（図４）内に収容されて隠れる。照明器具を取付ける商品陳列棚が金属製である場合には、ケース１の取付け部７ａにマグネットを取付けておき、そのマグネットの磁力で棚板Ｂに固定することができる。
【００２０】
図５では２本の照明器具を直列に接続して使用している。この場合、両照明器具のＬＥＤモジュール２をリード線Ｌ（図３（ａ）、（ｂ））で電気的に接続することができる。これにより、一つの照明器具の電源コードＣをコンセントに繋ぐだけで、リード線Ｌで接続された二つの照明器具が点灯するので、夫々の照明器具に電源コードＣを設ける必要が無く、電源の配線が簡潔になる。三つ以上の照明器具を使用する場合もリード線や他の電源接続具で接続することができる。
【００２１】
（使用例２）
本願発明の照明器具の第２の使用例を図１、図６に基づいて説明する。この使用例は、商品陳列棚Ａの棚板Ｂの上面手前側に本願発明の照明器具を取付けた場合の例である。この場合もケース１の取付け部７ａをネジ、ビス、両面テープ、接着剤などにより棚板Ｂに取付ける。この場合、ケース１の表示部８ａが商品陳列棚Ａの手前側に向くように棚板Ｂの上面に配置して、表示部８ａに値段、商品名などを記載したプレート２２を挿入するとか、これらが表示された帯状の紙などをプレート２２の内側に入れて表示をすることができる。この場合も複数の照明器具を配置連結することができ、それら照明器具のＬＥＤモジュール２をリード線Ｌ（図３（ａ）、（ｂ））やコネクタなどの電源接続器で電気的に接続することにより、電源コードＣが商品陳列棚Ａの表側に露出しないのでシンプルな電源配線ができる。
【００２２】
本願発明の照明器具は図１、図２に示すように、棚板Ｂの上面或いは下面の奥側、手前側といった位置のみならず、棚板Ｂの左右側面側に取付けることもできる。
【産業上の利用可能性】
【００２３】
本願発明の照明器具は商品陳列棚以外にも使用することができる。具体的には、壁面に取付けて足元を照らす足元灯として使用することや、化粧品売場の棚や生鮮食品売場の棚（陳列台）など熱に弱い商品の照明器具として使用することができる。また、車や電車などの車内灯としても使用することができる。
【図面の簡単な説明】
【００２４】
【図１】本願発明の照明器具を陳列棚の棚板の下面に取付けた使用例の斜視図。
【図２】本願発明の照明器具を陳列棚の棚板の上面に取付けた使用例の斜視図。
【図３】本願発明の照明器具の一例を示すものであって、（ａ）はその全体を示す斜視図、（ｂ）（ｃ）はケース側面の部分詳細図。
【図４】本願発明の照明器具の断面図。
【図５】本願発明の照明器具を、その開口部を陳列棚の棚板の手前側に向けて、棚板の下面奥側に取付けた使用例の斜視図。
【図６】本願発明の照明器具を、その開口部を陳列棚の棚板の奥側に向けて、棚板の上面手前側に取付けた使用例の斜視図。
【符号の説明】
【００２５】
１  ケース
２  ＬＥＤモジュール
３  基板
４  ＬＥＤ装備部
５  カバー
６  ＬＥＤチップ
７、８  側壁
７ａ  取付け部
８ａ  表示部
９、１０  側面
１１  照射口
１２  蓋
１３  ネジ穴
１４  保持片
１５  空間
１６  電源端子
１７  導入孔
１８  引込み口
１９、２０  カバー係止溝
２１  プレート挿入溝
２２  プレート
Ａ  商品陳列棚
Ｂ  棚板
Ｃ  電源コード
Ｌ  リード線
【図１】
2010051404.tif 000003
【図２】
2010051404.tif 000004
【図３】
2010051404.tif 000005
【図４】
2010051404.tif 000006
【図５】
2010051404.tif 000007
【図６】
2010051404.tif 000008